(57)【特許請求の範囲】
【請求項１】
再密閉可能なファスナー・アセンブリで、
ａ）内面および外面を有する第１ファスナー細片と、
ｂ）内面および外面を有する第２ファスナー細片と、
ｃ）第１ファスナー細片の内面の長手方向に沿って配置された第１プロフィールとを備え、第１プロフィールは複数の閉鎖要素を有し、複数の閉鎖要素は少なくとも上端要素および下端要素を有し、さらに、
ｄ）第２ファスナー細片の内面の長手方向に沿って配置された第２プロフィールを備え、第２プロフィールは複数の閉鎖要素を有し、該要素は少なくとも上端要素および下端要素を有し、第２プロフィールの該要素は、第１プロフィールの該要素と係合するようになっていて、それによって第２プロフィールを第１プロフィールと連結させ、さらに、
ｅ）ファスナー細片に沿ってまたがる関係で閉位置と開位置との間を移動するスライダーを備え、スライダーは頂部と、ファスナー細片をその間に受けるために頂部の対向する側部からぶら下がる複数の側壁とを有し、前記複数の側壁は頂部からプロフィールより下の一点まで下方向に延在し、したがって少なくともプロフィールが前記複数の側壁の間に保持され、前記複数の側壁はスライダーの分離端から摘み端まで延在し、前記複数の側壁は摘み端においてより分離端において大きい間隔を有し、前記複数の側壁の摘み端における間隔は、スライダーが閉位置に向かって移動するにつれ、第１および第２プロフィールを圧迫して連結関係にするのに十分なほど小さく、スライダーはスライダーの分離端で第１側壁と第２側壁の間に頂部からぶら下がる分離脚部を有し、分離脚部はプロフィールの少なくとも一方の上端閉鎖要素を越えるが下端閉鎖要素の間には至らないよう挿入されるファスナー・アセンブリ。
【請求項２】
プロフィールが閉位置の近傍で融合される、請求項１に記載のファスナー・アセンブリ。
【請求項３】
融合されたプロフィールが端停止部を生成する、請求項２に記載のファスナー・アセンブリ。
【請求項４】
融合されたプロフィールが下端閉鎖要素を一体に保持し、したがってスライダーが閉位置にあるときに、下端閉鎖要素がその全長にわたって連結関係にある、請求項２に記載のファスナー・アセンブリ。
【請求項５】
融合されたプロフィールが端停止部を生成して、下端閉鎖要素を一体に保持し、したがってスライダーが閉位置にあるときに、下端閉鎖要素がその全長にわたって連結関係にある、請求項２に記載のファスナー・アセンブリ。
【請求項６】
さらに、スライダーをファスナー細片にまたがる関係に維持する手段を備えた、請求項５に記載のファスナー・アセンブリ。
【請求項７】
スライダーをまたがる関係に維持する手段が、スライダーの側壁からぶら下がる肩と、プロフィールまたはその下でその長手方向に沿ってファスナー細片の外側縁から突き出す隆起とを有し、肩が隆起の表面を把持する、請求項６に記載のファスナー・アセンブリ。
【請求項８】
スライダーをまたがる関係に維持する手段が、上端閉鎖要素の上方で少なくとも一方のプロフィールの長手方向に沿って配置されたフランジと、スライダーの分離脚部から突き出す延長部とを有し、スライダーが移動するにつれ、延長部が上端閉鎖要素とフランジとの間で摺動する、請求項６に記載のファスナー・アセンブリ。
【請求項９】
プロフィールを締め付け、接着、溶解手段、または機械的手段で融合する、請求項６に記載のファスナー・アセンブリ。
【請求項１０】
再密閉可能なファスナー・アセンブリで、
ａ）内面および外面を有する第１ファスナー細片と、
ｂ）内面および外面を有する第２ファスナー細片と、
ｃ）第１ファスナー細片の内面の長手方向に沿って配置された第１プロフィールとを備え、第１プロフィールは複数の閉鎖要素を有し、複数の閉鎖要素は少なくとも上端閉鎖要素および下端閉鎖要素を有し、さらに、
ｄ）第２ファスナー細片の内面の長手方向に沿って配置された第２プロフィールを備え、第２プロフィールは複数の閉鎖要素を有し、該要素は少なくとも上端閉鎖要素および下端閉鎖要素を有し、第２プロフィールの閉鎖要素は、第１プロフィールの要素と係合するようになっていて、これによって第２プロフィールを第１プロフィールと連結させ、さらに、
ｅ）またがる関係でファスナー細片に沿って閉位置と開位置との間で移動するスライダーを備え、スライダーは頂部と、ファスナー細片をその間に受けるために頂部の対向する側部からぶら下がる側壁とを有し、側壁はスライダーの分離端から摘み端まで延在し、側壁は摘み端においてより分離端において大きい間隔を有し、側壁の摘み端における間隔は、スライダーが閉位置に向かって移動するにつれ、第１および第２プロフィールを圧迫して連結関係にするのに十分なほど小さく、スライダーはスライダーの分離端で第１側壁と第２側壁の間に頂部からぶら下がる分離脚部を有し、分離脚部はプロフィールの少なくとも一方の上端閉鎖要素を越えるが下端閉鎖要素の間には至らないよう挿入され、さらに、ｆ）スライダーが閉位置にあるときに下端閉鎖要素が全長にわたって連結関係になるように下端閉鎖要素を連結関係に保持する手段を備えるファスナー・アセンブリ。
【請求項１１】
下端閉鎖要素を連結関係で保持する手段が、閉位置の近傍にある下端閉鎖要素の融合区間である、請求項１０に記載のファスナー・アセンブリ。
【請求項１２】
融合区間が端停止部を生成する、請求項１１に記載のファスナー・アセンブリ。
【請求項１３】
さらに、スライダーをファスナー細片にまたがる関係に維持する手段を備えた、請求項１２に記載のファスナー・アセンブリ。
【請求項１４】
スライダーをまたがる関係に維持する手段が、スライダーの側壁からぶら下がる肩と、プロフィールまたはその下でその長手方向に沿ってファスナー細片の外側縁から突き出す隆起とを有し、肩が隆起の表面を把持する、請求項１３に記載のファスナー・アセンブリ。
【請求項１５】
スライダーをまたがる関係に維持する手段が、上端閉鎖要素の上方で少なくとも一方のプロフィールの長手方向に沿って配置されたフランジと、スライダーの分離脚部から突き出す延長部とを有し、スライダーが移動するにつれ、延長部が上端閉鎖要素とフランジとの間で摺動する、請求項１３に記載のファスナー・アセンブリ。
【請求項１６】
プロフィールを締め付け、接着、溶解手段、または機械的手段で融合する、請求項１３に記載のファスナー・アセンブリ。
【発明の詳細な説明】
再密閉可能なファスナー・アセンブリは、熱可塑性の袋の密封に有用である。このようなファスナー・アセンブリはプラスチックのジッパーやスライダーを含むことが多い。通常、プラスチック・ジッパーは、閉鎖部を形成する１対の連結可能なファスナー要素、つまりプロフィールを含む。スライダーがプロフィールを横断するにつれ、プロフィールが開閉する。
プラスチック・ジッパーのプロフィールは、様々な形状をとることができる。例えば、米国特許第5,140,727号は、連結するリブ要素と溝要素について述べ、米国特許第5,007,143号は転動ジッパーのプロフィールについて述べ、米国特許第4,757,702号は連結フックを備えたＵ字形のプロフィールについて述べている。
再密閉可能なファスナーを開閉するスライダーは、概ねスライダーがプロフィールをまたぐような形状にされる。スライダーはファスナーを開放するために、プロフィールを通して挿入される分離要素を含むことが多い。このようなスライダーは米国特許第5,067,208号に記載されている。他のタイプのスライダーでは、米国特許第5,007,143号に記載されているように、分離要素がプロフィールに貫入せず、プロフィール上に位置する特に適応させた通路上でプロフィールの上を摺動する。分離要素は様々な形状を有する。例えば、米国特許第3,173,184号はＶ字形の分離要素について述べ、米国特許第5,067,208号は円形の端部を備えた先細の分離要素について述べる。
既知のファスナー・アセンブリの欠点は、ファスナー・アセンブリを組み込んだ熱可塑性の袋が往々にして漏れることである。既知のファスナー・アセンブリの別の欠点は、ジッパーが剛性であってそれほど可撓性ではなく、スライダーが大きくて扱いにくく、製造費がかかることがあることである。スライダーを単純化し、閉鎖部を通る液体の漏れを最小限に抑えれば、再密閉可能なファスナー・アセンブリの技術の進歩になる。
本発明は上記の問題を大幅に解決する。一つの態様では、本発明は５つの要素を備える再密閉可能なファスナー・アセンブリである。第１要素は内面および外面を有する第１ファスナー細片である。第２要素は内面および外面を有する第２ファスナー細片である。第３要素は第１ファスナー細片の内面の長手方向に沿って配置された第１プロフィールで、第１プロフィールは複数の閉鎖要素を有し、複数の閉鎖要素は少なくとも上端要素および下端要素を含む。第４要素は第２ファスナー細片の内面の長手方向に沿って配置された第２プロフィールで、第２プロフィールは複数の閉鎖要素を有し、要素は少なくとも上端要素および下端要素を含み、第２プロフィールの諸要素は第１プロフィールの諸要素と係合するようになっており、これによって第２プロフィールを第１プロフィールと連結する。第５要素は、またがる関係でファスナー細片に沿って閉位置と開位置との間で移動するスライダーであり、スライダーは頂部と、頂部の対向する側部からぶら下がりファスナー細片をその間に受ける側壁とを有し、側壁は頂部から下方向に延在し、したがってプロフィールの少なくとも一部が側壁の間に保持され、側壁はスライダーの分離端から摘み端まで延在し、側壁は摘み端においてより分離端において大きい間隔を有し、側壁の摘み端における間隔は、スライダーが閉位置に向かって移動するにつれ、第１および第２プロフィールを圧迫して連結関係にするのに十分なほど小さく、スライダーはスライダーの分離端で第１側壁と第２側壁の間に頂部からぶら下がる分離脚部を有し、分離脚部はプロフィールの少なくとも一方の上端閉鎖要素を越えるが下端閉鎖要素の間には至らないよう挿入される。
第２の態様では、本発明は６つの要素を備える再密閉可能なファスナー・アセンブリである。第１要素は、内面および外面を有する第１ファスナー細片である。第２要素は、内面および外面を有する第２ファスナー細片である。第３要素は、第１ファスナー細片の内面の長手方向に沿って配置された第１プロフィールで、第１プロフィールは複数の閉鎖要素を有し、複数の閉鎖要素は少なくとも上端閉鎖要素および下端閉鎖要素を含む。第４要素は、第２ファスナー細片の内面の長手方向に沿って配置された第２プロフィールで、第２プロフィールは複数の閉鎖要素を有し、要素は少なくとも上端閉鎖要素および下端閉鎖要素を含み、第２プロフィールの諸閉鎖要素は、第１プロフィールの諸要素と係合するようになっていて、これによって第２プロフィールを第１プロフィールと連結させる。第５要素はまたがる関係でファスナー細片に沿って閉位置と開位置との間で移動するスライダーで、スライダーは頂部と、頂部の対向する側部からぶら下がり、ファスナー細片をその間に受ける側壁とを有し、側壁はスライダーの分離端から掴み端まで延在し、側壁は摘み端においてより分離端において大きい間隔を有し、側壁の摘み端における間隔は、スライダーが閉位置に向かって移動するにつれ、第１および第２プロフィールを圧迫して連結関係にするのに十分なほど小さく、スライダーはスライダーの分離端で第１側壁と第２側壁の間に頂部からぶら下がる分離脚部を有し、分離脚部はプロフィールの少なくとも一方の上端閉鎖要素を越えるが下端閉鎖要素の間には至らないよう挿入される。第６要素はスライダーが閉位置にあるときに、下端閉鎖要素が全長にわたって連結関係になるように、下端閉鎖要素を連結関係に保持する手段である。
第１図は、ジッパーおよびスライダーを有する熱可塑性袋の平面図である。
第２図は、ジッパーおよびスライダーを備えた再密閉可能な熱可塑性袋の斜視図である。
第３図は、第２図の線３−３に沿って切り取った本発明の開いたプロフィールおよびスライダーの断面図である。
第４図は、第２図の線４−４に沿って切り取った本発明の閉じたプロフィールおよびスライダーの断面図である。
第５図は、開いたプロフィールおよびスライダーの代替実施例の断面図である。
第６図は、第２図のスライダーの底面図である。
第７図は、第６図の線７−７に沿って切り取ったスライダーの断面図である。
第１図を参照すると、プロフィールを有するプラスチックの再密閉可能なファスナー１１およびスライダー１０を有し、本発明を実現した再密閉可能な熱可塑性袋Ｂが図示されている。袋Ｂは密閉底部３３および２つの対向する密閉縁部３４を有する。袋Ｂは、例えば低密度ポリエチレン、線状低密度ポリエチレン、ほぼ線状のエチレンおよびＣ３−Ｃ８α−オレフィンの共重合体、ポリプロピレン、ポリ塩化ビニリデンや、これらの重合体のうちの２つ以上のものの混合物、またはこれらの重合体の一つと別の熱可塑性重合体との混合物などのような任意の適切な熱可塑性薄膜から作成することができる。
次に第２図を参照すると、袋Ｂは１対の可撓性プラスチック・シート１２および１３を備える。シート１２は、それに取り付けられた第１ファスナー細片１４を有する頂部縁を有する。第１ファスナー細片１４は、袋の内側に内面、袋の外側に外面を有する。シート１３は、それに取り付けられた第２ファスナー細片１５を有する頂部縁を有する。第２ファスナー細片１５は、袋の内側に内面、袋の外側に外面を有する。細片１４および１５は、別個に押出し成形して、別個に袋の口の個々の側部に取り付けることができるが、細片１４および１５を、袋の口の側部と一体に押出し成形してもよい。
第１プロフィール１６は、第１ファスナー細片１４の内面に沿って延在する。第２プロフィール１７は、第２ファスナー細片１４の内面に沿って延在する。
第２図ないし第５図で示すように、第１プロフィール１６は少なくとも上端閉鎖要素１６ａおよび下端閉鎖要素１６ｂを有する。閉鎖要素１６ａおよび１６ｂは細片１４の内面から横方向に突き出す。同様に、第２プロフィール１７は少なくとも上端閉鎖要素１７ａおよび下端閉鎖要素１７ｂを有する。閉鎖要素１７ａおよび１７ｂは、細片１５の内面から横方向に突き出す。袋を閉じると、プロフィール１６の閉鎖要素は、プロフィール１７の対応する閉鎖要素と連結される。第２図ないし第５図で示すように、閉鎖要素１６ａ、１６ｂ、１７ａおよび１７ｂは閉鎖要素の端部にフックを有し、したがって袋が閉じている時にはプロフィールが連結状態を維持し、これによりシールを形成する。シールは、通常の使用状態では液体に対する障害を形成するようなものであって有益である。プロフィール１６および１７はそれぞれ、３つ以上の閉鎖要素を有することもでき、したがって任意の数の閉鎖要素を上端閉鎖要素と下端閉鎖要素との間に配置することができる。閉鎖要素は、米国特許第5,140,727号に記載されているようなリブと溝の形状または米国特許第4,747,702号で記載されているようなアングル付きフック形状など、任意の形状にすることができる。
袋Ｂを開くと、ファスナー細片１４および１５は、個々の細片上のプロフィール１６および１７と同様に互いから分離される。第４図で示すように、閉鎖要素１６ａ、１７ａ、１６ｂおよび１７ｂは相補的な断面形状を有し、したがってプロフィールを互いに圧迫することにより閉じる。圧迫作用はスライダー１０の摘み端１０ｂによって達成され、これは細片１４および１５にまたがって、再密閉可能なファスナーの閉鎖要素１６および１７を開閉するようになっている。
再び第１図を参照すると、スライダー１０は閉位置３５と開位置３６との間で移動する。したがって、スライダー１０がファスナー細片の一方の閉位置に到達すると袋が閉じ、プロフィールはほぼ全長にわたって連結される。スライダーがファスナー細片の反対端の開位置３６に到達すると、袋が開いて、プロフィールはその長さの大部分にわたって結合解除される。これは、袋を閉じるためには、少なくとも下端閉鎖要素が、ほぼその全長にわたって互いに連結されれば十分であることを理解されたい。上端閉鎖要素も互いに連結することが好ましいが、そうする必要はない。
次に第２図を参照すると、またがるスライダー１０は、細片１４および１５の頂縁に沿って移動する頂部２０を有する逆Ｕ字形部材より成る。スライダー１０は頂部２０からぶら下がる側壁２１および２２を有する。側壁２１および２２はファスナー細片１４および１５の外面に沿って下方向に、プロフィール１６および１７の一点またはその下の一点まで延在し、したがってプロフィール１６および１７の少なくとも一部は側壁２１と２２の間に保持される。側壁２１および２２は細片１４および１５と協力し、スライダーが開位置と閉位置との間で移動するにつれ、細片１４および１５が側壁２１と２２の間で受けられる。
第６図で示すように、側壁２１および２２はスライダーの分離端１０ａからスライダーの摘み端１０ｂまで延在する。側壁２１および２２は、摘み端１０ｂにおいてより分離端１０ａにおいて、互いの間隔が広くなる。摘み端１０ｂのより狭い間隔は、ファスナー細片を互いに摘むか挟む働きをし、これによってプロフィール１６および１７を強制的に連結関係にする。第４図で示すように、複数プロフィールは一度に互いに挟むことができる。つまり上端閉鎖要素１６ａと１７ａとは、下端閉鎖要素１６ｂと１７ｂとが互いに圧迫されるのとほぼ同時に、互いに圧迫される。あるいは、プロフィールは米国特許第5,007,143号に記載されているように、転がり作用によって連結することができる。
第２図ないし第７図で示すように、分離脚部２３は側壁２１と２２との間で頂部２０からぶら下がり、プロフィール１６および／または１７の上端閉鎖要素１６ａおよび／または１７ａのうち少なくとも一方を過ぎて挿入される。図示のように、分離脚部はスライダー１０の分離端部１０ａに配置されるが、分離脚部は頂部に沿って任意の場所に配置することができる。分離脚部２３は、１／３２ないし１／８インチ（０．７９ないし３．２ミリメートル）の幅、つまり側部から側部までの寸法を有することが好ましい。分離脚部は、１／１６ないし１／４インチ（１．５ないし６．４ミリメートル）の長さ、つまり分離端部から摘み端部までの寸法を有することが好ましい。
分離脚部２３はプロフィール１６および１７を通って全体に延在するわけではなく、分離脚部２３は上端閉鎖要素１６ａおよび／または１７ａの少なくとも一方を通して延在するが、下端閉鎖要素１６ｂと１７ｂとの間に到達するほどには延在しない。プロフィールが上端閉鎖要素と下端閉鎖要素との間に中間閉鎖要素を有する場合、分離脚部は中間閉鎖要素の間に延在してもよいが、そうでなくともよい。
スライダー１０が開位置３６に向かって移動すると、スライダーの摘み端１０ｂが先行し、スライダーの分離端１０ａが追従するので、分離脚部２３はプロフィール１６と１７とを結合解除する。スライダー１０が閉位置３５に向かって移動すると、分離端１０ａが先行し、摘み端１０ｂが追従するので、摘み端１０ｂがプロフィールを互いに挟み、結合させる。下端閉鎖要素１６ｂおよび１７ｂと上端閉鎖要素１６ａおよび１７ａとの間の間隔は、スライダーが開位置３６に向かって移動すると、分離脚部２３が上端閉鎖要素を強制的に分離するにつれて下端プロフィールが引っ張られて開くのに十分でなければならない。
ファスナーアセンブリは、任意選択で、スライダーをファスナー細片にまたがる関係で維持する手段を含む。第２図ないし第７図で示す実施例では、手段はファスナー細片１４および１５の外面に隆起２５を、スライダーの側壁に肩２１ａ、２２ａ、２１ｂおよび２２ｂを含む。肩２１ａおよび２２ａは、スライダーの分離端１０ａでぶら下がる側壁から内側に突き出す。図示のように、スライダーは、スライダーの摘み端１０ｂで、ぶら下がる側壁から内側に突き出す肩２１ｂおよび２２ｂも有する。肩２１ａ、２２ａ、２１ｂおよび２２ｂは、プロフィール１６および１７の一点またはその下の一点で内側に突き出す。肩は隆起２５の下面を把持することによって、ファスナー細片にまたがる関係にスライダーを維持する手段として働く。したがって、隆起２５は、スライダー１０がファスナー細片にまたがる関係を維持し、袋から落下しないよう、スライダーが保持するための柄としても働く。肩は、袋の安全を最大限にするため、所望に応じてスライダーの全長に沿って連続することができる。隆起２５はプロフィールの一点またはその下の一点でファスナー細片１４および１５の外面の長手方向に沿って延在し、例えばファスナー細片と一緒に押し出し成形するか、加熱するか、接着するか、所定の位置にスナップ止めすることなど、任意の所望の手段によってファスナー細片に取り付けることができる。隆起は、プロフィールと袋との厚さに差をつけることによってもできる。
あるいは、スライダーをファスナー細片にまたがる関係で維持する手段は、第５図で示すように、ファスナー細片１４の長手方向に沿ってプロフィール１６上に配置されたフランジ１８と組み合わせた、分離脚部２３上の延長部５０を含むことができる。スライダーがファスナー細片に沿って移動するにつれ、延長部は上端閉鎖要素１６ａとフランジ１８との間を摺動する。ファスナーアセンブリが閉じると、フランジ１８が上端閉鎖要素１６ａおよび１６ａを覆う。フランジ１８は任意選択である。所望に応じて、両方のファスナー細片にフランジがあってもよい。
スライダー１０は、複数の部品で作成して溶接し合わせるか、部品を互いにスナップ止めするように構成することができる。スライダー１０は、一体構造でもよい。スライダーは、例えば射出成形やその他の任意の方法など、任意の所望の方法で作成することができる。スライダーは、例えばナイロン、ポリプロピレン、ポリスチレン、アセタル、強化アセタル、ポリケトン、ポリブチレン・テレフタレート、高密度ポリエチレン、ポリカーボネート、またはＡＢＳなど、任意の適切なプラスチックから成形することができる。スライダーは透明、不透明または着色することができる。
本発明のファスナーおよびスライダーを使用する袋は、任意選択で、スライダーが閉位置３５または開位置３６に到達したら、スライダーが袋の端部から滑落するのを防止する手段を含む。スライダーが端から滑落するのを防止する手段は、スライダーが閉位置にある時に、分離脚部の下にあたる部分を含めて下端閉鎖要素を連結関係に保持する手段を含み、したがって下端閉鎖要素がほぼその全長にわたって連結関係にすることが好ましい。下端閉鎖要素を一体に保持するこのような手段は、例えば閉位置３５の近傍にある下端閉鎖要素の融合区間などを含むことができる。閉位置の近傍にあるプロフィールの融合区間は、隆起した端停止部３０を生成することが好ましい。プロフィールの融合区間は、開位置３６近傍にあることが好ましい。
「閉位置に近い」とは、本明細書では、スライダーが閉位置にあるときの、少なくともスライダーとファスナー細片の両端との間の空間である。閉位置をファスナー細片の端部のごく近くの位置に選択した場合には、この距離を狭くすることができ、大きい端停止部が望ましい場合など、閉位置をファスナー細片の端部から離れた位置に選択した場合は、この位置を広くすることができる。
融合端停止部３０を隆起２５と組み合わせて使用する場合は、隆起２５が各端で少なくとも融合区間の内縁３１まで延在することが好ましく、第１図で示すように、その内縁を越え、したがって隆起２５が融合区間３０と協力してスライダー１０袋上に保持するよう働くことが好ましい。
プロフィールは、締め付け（クランプ）、接着、圧力、熱、機械的方法、超音波、または任意の他の望ましい方法で融合することができる。その結果生じた端停止部３０は、ファスナー１１の端部の停止部として、スライダー１０がファスナー１１の端部を行き過ぎるのを防止し、２つのプロフィール１６および１７を保持して、袋の通常の使用時にプロフィールに加わる応力に応じて袋が開くのを防止するという二重の機能を果たす。端停止部３０は、スライダー１０を移動するときに、使用者にとって便利な指の把持部も提供する。
スライダーが袋の端から滑落するのを防止する代替手段は、米国特許第5,067,208号および第5,161,286号に記載されているようなリベット打ちした端部クランプ、米国特許第5,088,971号に記載されているようなプロフィールの溶解材料から作成した横方向の端停止部、米国特許第5,405,478号に記載されているような管状の端停止部、米国特許第5,442,837号に記載されているような密閉ジッパー端部と組み合わせた窓構造、または米国特許第5,448,807号に記載されているようなジッパーに融合されたプラスチックの端クリップを含む。
本発明のファスナーアセンブリは、任意選択で、本発明のジッパーおよびスライダーを有する袋が不作為に開かないよう、スライダーを閉位置に保持する手段を含む。例えば、スライダーを閉位置に保持する手段は、米国特許第5,067,208号に記載されているような切り欠き構造、または米国特許第5,301,395号に記載されているような分岐する端部を有する切り欠き構造を備えることができる。さらに別の代替例では、スライダーを閉位置に保持する手段は、米国特許第5,189,764号に記載されているようにスライダー上の抑止手段とジッパー上の突起とのようなラッチ手段を備えることができる。
本発明の袋は、例えば吹込み成形や鋳造押出し成形など、当技術分野で周知の方法を使用して作製することができる。スライダーは、米国特許第4,262,395号に記載されているような道具を使用し留め具の往復運動をおこす方法を用い、米国特許第5,067,208号に記載されているようなスライダーの本体に翼を取り付ける蝶番構造、米国特許第5,283,932号に記載されているような剛性付与構造、または所定の位置のアセンブリを通してファスナー細片に取り付けることができる。
【図１】
0004195510.tif 000002
【図２】
0004195510.tif 000003
【図３】
0004195510.tif 000004
【図４】
0004195510.tif 000005
【図５】
0004195510.tif 000006
【図６】
0004195510.tif 000007
【図７】
0004195510.tif 000008